(57)【要約】【課題】装飾品の装着作業等を簡単に行なうことができるコンパクトを提供すること。【解決手段】装飾品Ａを収納する収納凹部２ａが形成されたベース板２と、鏡７が添設された鏡保持板５と、ベース板２と鏡保持板５との間に設けられた１枚以上の高さ調整用連結板３，４とを備え、ベース板２、１枚以上の高さ調整用連結板３，４、及び鏡保持板５は、隣り合う板同士が重畳状態となるように折り畳み可能で、且つ、ベース板２に対して起立状態を保持可能となるようにヒンジ６ａ，６ｂ，６ｃによって連結されていることを特徴とする。【選択図】図２
0003165937.tif 000002
【実用新案登録請求の範囲】
【請求項１】
装飾品を収納する収納凹部が形成されたベース板と、鏡が添設された鏡保持板と、前記ベース板と前記鏡保持板との間に設けられた１枚以上の高さ調整用連結板とを備え、前記ベース板、前記１枚以上の高さ調整用連結板、及び前記鏡保持板は、隣り合う板同士が重畳状態となるように折り畳み可能で、且つ、前記ベース板に対して起立状態を保持可能となるようにヒンジによって連結されていることを特徴とするコンパクト。
【請求項２】
装飾品を収納する収納凹部が形成されたベース板と、鏡が添設された鏡保持板と、前記ベース板と前記鏡保持板との間に設けられる２枚の高さ調整用連結板とを備え、前記ベース板、前記２枚の高さ調整用連結板、及び前記鏡保持板は、隣り合う板同士が重畳状態となるように折り畳み可能で、且つ、前記ベース板に対して起立状態を保持可能となるようにヒンジによって連結されていることを特徴とするコンパクト。
【請求項３】
前記ベース板に連結された前記高さ調整用連結板には、前記ベース板の前記収納凹部に対応する部分に孔が形成されていることを特徴とする請求項１または２に記載のコンパクト。
【請求項４】
前記ベース板に連結された前記高さ調整用連結板には、前記ベース板の前記収納凹部に対応する部分に孔が形成され、他の前記高さ調整用連結板は、前記孔の蓋となっていることを特徴とする請求項２に記載のコンパクト。
【請求項５】
前記鏡は、折り畳んだ際に前記ベース板側に位置するように前記鏡保持板に添設されていることを特徴とする請求項１から３いずれか一項に記載のコンパクト。
【請求項６】
全体として、九十九折り状態で折り畳み可能となっていることを特徴とする請求項１から５いずれか一項に記載のコンパクト。 
【考案の詳細な説明】
【技術分野】
【０００１】
本考案は、鏡付きで、装飾品を収納することができるコンパクトに関するものである。
【背景技術】
【０００２】
従来、鏡付きで、装飾品を収納することができるコンパクトが知られている。このコンパクトは、例えば、装飾品を収容するケース本体と鏡を設けた蓋体とを備え、それらがヒンジによって折り畳み可能に連結されている（例えば、特許文献１）。
【０００３】
上記特許文献１に示されているコンパクトのケース本体は、上下２段のケース部分を有し、上段のケース部分に対して下段のケース部分が側方に引出し可能に配設されているとともに、蓋体は、ケース本体にヒンジを介して連結され、ケース本体に対して折り畳み可能となっている。
【先行技術文献】
【特許文献】
【０００４】
【特許文献１】実開昭６１−１４８２１７号公報（図１及び図２参照）
【考案の概要】
【考案が解決しようとする課題】
【０００５】
ところで、装飾品が付け睫毛やコンタクトレンズ等の場合、その装着等に際しては、鏡に目を近づけて両手によって作業を行なう必要がある。このような場合に、コンパクトをテーブル等に載置して作業を行なうことになるが、コンパクトを載置するテーブル等の高さが低い場合には、腰を屈めて作業を行わなければならないため、作業がし難いという問題があった。
【０００６】
本考案は、装飾品の装着作業等を簡単に行なうことができるコンパクトを提供することを目的としている。
【課題を解決するための手段】
【０００７】
請求項１の考案は、装飾品を収納する収納凹部が形成されたベース板と、鏡が添設された鏡保持板と、前記ベース板と前記鏡保持板との間に設けられた１枚以上の高さ調整用連結板とを備え、前記ベース板、前記１枚以上の高さ調整用連結板、及び前記鏡保持板は、隣り合う板同士が重畳状態となるように折り畳み可能で、且つ、前記ベース板に対して起立状態を保持可能となるようにヒンジによって連結されていることを特徴とするコンパクトである。
【０００８】
請求項２の考案は、装飾品を収納する収納凹部が形成されたベース板と、鏡が添設された鏡保持板と、前記ベース板と前記鏡保持板との間に設けられる２枚の高さ調整用連結板とを備え、前記ベース板、前記２枚の高さ調整用連結板、及び前記鏡保持板は、隣り合う板同士が重畳状態となるように折り畳み可能で、且つ、前記ベース板に対して起立状態を保持可能となるようにヒンジによって連結されていることを特徴とするコンパクトである。
【０００９】
請求項３の考案は、請求項１または２に記載のコンパクトにおいて、前記ベース板に連結された前記高さ調整用連結板には、前記ベース板の前記収納凹部に対応する部分に孔が形成されていることを特徴とする。
【００１０】
請求項４の考案は、請求項２に記載のコンパクトにおいて、前記ベース板に連結された前記高さ調整用連結板には、前記ベース板の前記収納凹部に対応する部分に孔が形成され、他の前記高さ調整用連結板は、前記孔の蓋となっていることを特徴とする。
【００１１】
請求項５の考案は、請求項１から３いずれか一項に記載のコンパクトにおいて、前記鏡は、折り畳んだ際に前記ベース板側に位置するように前記鏡保持板に添設されていることを特徴とする。
【００１２】
請求項６の考案は、請求項１から５いずれか一項に記載のコンパクトにおいて、全体として、九十九折り状態で折り畳み可能となっていることを特徴とする。
【考案の効果】
【００１３】
請求項１および２の考案によれば、ベース板と鏡保持板との間に高さ調整用連結板が設けられ、高さ調整用連結板および鏡保持板をベース板に対して起立させることによって、鏡保持板ひいては鏡を所望の高さに保持することできる。その結果、両手を使用して化粧作業等する場合でも、腰をあまり屈める必要もないので、化粧作業等が簡単に行えることになる。
また、高さ調整用連結板および鏡保持板をベース板に対して折り畳むことができるので、持ち運びや、コンパクト自体の収納に便利である。
【００１４】
請求項３および４の考案によれば、高さ調整用連結板には、ベース板の収納凹部に対応する部分に孔が形成されているので、その高さ調整用連結板の厚さ分だけ、収納凹部の上方空間を広く確保することができる。その結果、ベース板の厚さを大きくして収納凹部の深さを大きく確保することなく、嵩張る装飾品の収納が可能になる。
また、請求項４の考案によれば、孔が形成されている高さ調整用連結板の他に、孔の蓋として機能する高さ調整用連結板を備えているので、鏡保持板とベース板の収納凹部に収納されている装飾品との接触が回避されるので、鏡保持板の汚損が防止されることになる。
【００１５】
請求項５の考案によれば、折り畳んだ際に、鏡がケース内に収納されるので、鏡面が外気に晒されることなく、鏡面を塵埃等から有効に保護することができる。
また、高さ調整用連結板が２枚の場合、収納凹部が作業者の手前側に位置することになるので、使い勝手が良いものとなる。
【００１６】
請求項６の考案によれば、九十九折り状態で折り畳めるため、折り畳みが簡単に行えることになる。
【図面の簡単な説明】
【００１７】
【図１】本考案に係るコンパクトの一実施の形態を示した概念図で、折畳んだ状態の斜視図である。
【図２】本考案に係るコンパクトの一実施の形態を示した概念図で、開いた状態の正面方向からの斜視図である。
【図３】本考案に係るコンパクトの一実施の形態を示した概念図で、開いた状態の背面方向からの斜視図である。
【図４】図１におけるＩＶ−ＩＶ線断面図である。
【考案を実施するための形態】
【００１８】
以下、本考案に係るコンパクトを図面に示した実施の形態に基づいて説明する。
【００１９】
図示したコンパクト１は、ベース板２と、上下２枚の高さ調整用連結板３，４と、鏡保持板５とを備えている。このベース板２と、上下２枚の高さ調整用連結板３，４と、鏡保持板５とはそれぞれ矩形状を成している。
このうち下段の高さ調整用連結板３の後端辺はヒンジ６ａによってベース板２の後端辺に連結され、また、上段の高さ調整用連結板４の前端辺はヒンジ６ｂによって下段の高さ調整用連結板３の前端辺に連結され、さらに、鏡保持板５の後端辺はヒンジ６ｃによって上段の高さ調整用連結板４の後端辺に連結されている。
そして、コンパクト１は全体として九十九折り（つづら折り）状態で折り畳むことができるようになっている。
【００２０】
このうちベース板２には、上方に開口し一様の深さを持つ矩形状の収納凹部２ａが形成されている。この収納凹部２ａの底面には、装飾品Ａを保持するホルダ２ｂが形成されている。このホルダ２ｂは山形となっており、例えば、図２に示すように、装飾品Ａとして付け睫毛を保持できるようになっている。
なお、ホルダ２ｂを、収納する装飾品Ａの種類に応じて、台状，凹状に形成し、必要ならば止具を付設して、コンタクトレンズ、口紅等の化粧品、イヤリングその他の装飾品を収納するようにすることも可能である。この場合、収容凹部２ａに対して着脱可能なトレーを設け、このトレーにホルダを形成しておいてもよい。
【００２１】
また、下段の高さ調整用連結板３には、中央部にベース板２の収納凹部２ａに対応する矩形状の孔３ａが形成されている。このように、高さ調整用連結板３に孔３ａを形成しておくことによって、孔３ａを通して、装飾品Ａの収納凹部２ａへの収納、装飾品Ａの収納凹部２ａからの取出しが可能となる。
また、高さ調整用連結板３の上面には、上記矩形状の孔３ａの縁に沿って突出する矩形状の枠３ｅが形成されている（図３参照）。このように、折り畳んだ際にベース板２に被さる高さ調整用連結板３の上面に枠３ｅを形成しておくことによって、収納凹部２ａの上方に広い空間が形成され、嵩張る装飾品Ａの収納も可能となる。
【００２２】
さらに、上段の高さ調整用連結板４の下面には、枠３ｂの高さ程度の一様な深さを有する矩形状の凹部４ａが形成されている。この凹部４ａの縦横のサイズは、枠３ｂの縦横のサイズより一回り大きく、コンパクト１を折り畳んだ際には、凹部４ａ内に枠３ｂが収容される。また、コンパクト１を折り畳んだ際には、高さ調整用連結板４は、孔３ａひいては収納凹部２ａの蓋として機能する。
【００２３】
また、鏡保持板５の下面には、図２に示すように、矩形状の凹部５ａが形成されている。そして、この凹部５ａには矩形状の鏡７が設置されている。この鏡７の鏡面は、コンパクト１を折り畳んだ際に、高さ調整用連結板４の上面と対向するので、鏡７が外部に晒されず、塵埃等から鏡７を保護することができる。
【００２４】
ベース板２と高さ調整用連結板３とを連結するヒンジ６ａは、図３に示すように、ベース板２の後端部に形成された左右で対を成す軸受部２ｃと、高さ調整用連結板３の後端部に形成された左右で対を成す軸受部３ｂと、左右の軸受部２ｃ，３ｂに挿通されたピン６ｄとによって構成されている。
この場合、左右の軸受部２ｃ，３ｂとピン６ｄとをきつく嵌合させておけば、ベース板２に対して高さ調整用連結板３を開いた際に、ベース板２と高さ調整用連結板３とを任意の角度に保持することができる。
また、ベース板２の軸受部２ｃ，２ｃ間には、リブ壁２ｄが立設され、それによって、ベース板２と高さ調整用連結板３との間の空隙が塞がれている。
【００２５】
高さ調整用連結板３と高さ調整用連結板４とを連結するヒンジ６ｂは、図２に示すように、高さ調整用連結板３の前端部に形成された左右で対を成す軸受部３ｃと、高さ調整用連結板４の前端部に形成された左右で対を成す軸受部４ｂと、左右の軸受部３ｃ，４ｂに挿通されたピン６ｅとによって構成されている。
この場合、左右の軸受部３ｃ，４ｂとピン６ｅとをきつく嵌合させておけば、高さ調整用連結板３に対して高さ調整用連結板４を開いた際に、高さ調整用連結板３と高さ調整用連結板４とを任意の角度に保持することができる。
また、高さ調整用連結板３の軸受３ｃ，３ｃ間には、リブ壁３ｄが立設され、それによって、高さ調整用連結板３と高さ調整用連結板４との間の空隙が塞がれている。
【００２６】
高さ調整用連結板４と鏡保持板５とを連結するヒンジ６ｃは、図２に示すように、高さ調整用連結板４の後端部に形成された左右で対を成す軸受部４ｃと、鏡保持板５の後端部に形成された左右で対を成す軸受部５ｂと、左右の軸受部４ｃ，５ｂに挿通されたピン６ｆとによって構成されている。
この場合、左右の軸受部４ｃ，５ｂとピン６ｆとをきつく嵌合させておけば、高さ調整用連結板４に対して鏡保持板５を開いた際に、高さ調整用連結板４と鏡保持板５とを任意の角度に保持することができる。
また、高さ調整用連結板４の軸受４ｃ，４ｃ間には、図４に示すように、リブ壁４ｄが立設され、それによって、高さ調整用連結板４と鏡保持板５との間の空隙が塞がれている。
【００２７】
続いて、このコンパクト１の使用方法を説明する。
このコンパクト１は、持ち運びや、コンパクト１自体の収納の際には、図１に示すように、折り畳んだ状態とされる。
一方、このコンパクト１を使用する場合には、図２および図３に示すように、コンパクト１をテーブルの上に置く。その後、ベース板２に対して高さ調整用連結板３，４および鏡保持板５を開き、起立させる。その後、ベース板２の収納凹部２ａから装飾品Ａである付け睫毛を取り出し、鏡７に目に近づけて付け睫毛を装着する。
【００２８】
このコンパクト１によれば次のような効果を得ることができる。
すなわち、ベース板２と鏡保持板５との間に高さ調整用連結板３，４が設けられ、高さ調整用連結板３，４および鏡保持板５をベース板５に対して伸長させることによって、鏡保持板５ひいては鏡７を所望の高さに保持することできる。その結果、両手を使用して装着作業する場合でも、腰をあまり屈める必要もないので、装着作業が簡単に行えることになる。
また、２枚の高さ調整用連結板３，４を備えているため、収納凹部２ａが作業者の手前側に位置することになるので、使い勝手が良いものとなる。
【００２９】
以上、本考案の実施形態について説明したが、本考案は、かかる実施形態に限定されず、その要旨を逸脱しない範囲で、種々の変形が可能であることは言うまでもない。
【００３０】
例えば、上記実施の形態では、２枚の高さ調整用連結板３，４を使用しているが、１枚又は３枚以上であってもよいことは勿論である。また、上記実施の形態では、孔３ａを高さ調整用連結板３にのみ形成しているが、高さ調整用連結板４にも形成してもよく、高さ調整用連結板を３枚以上採用した場合には、それらにも形成してもよい。
【符号の説明】
【００３１】
１    コンパクト
２    ベース板
２ａ    収納凹部
３    高さ調整用連結板
３ａ    孔
４    高さ調整用連結板
５    鏡保持板
６ａ，６ｂ，６ｃ    ヒンジ
７    鏡
Ａ    装飾品
【図１】
0003165937.tif 000003
【図２】
0003165937.tif 000004
【図３】
0003165937.tif 000005
【図４】
0003165937.tif 000006